【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
金型本体に形成された貫通穴の一端側から当該貫通穴に対して摺動自在に嵌合される一方のインサートと、この一方のインサートと対向するように前記貫通穴の他端側に嵌合される他方のインサートとを具え、前記一対のインサートの間に成形すべきガラス材料を供給し、これらを所定温度に加熱して前記一方のインサートを前記他方のインサートとの対向方向に移動させることにより、前記ガラス材料をプレス成形して前記一対のインサートに形成された成形面をガラス成形品に転写するガラス成形装置であって、
前記金型本体に形成され、かつ前記貫通穴の一端から突出するように延在してこの貫通穴の一端に続く案内面と、
この案内面に前記一方のインサートを押し当てる押圧手段と
を具えたことを特徴とするガラス成形装置。
【請求項２】
前記案内面は、前記貫通穴の内周面の一部がこの貫通穴の軸線と平行な方向にそのまま延在し、当該貫通穴の内周方向に沿って半周未満の円弧状をなすものであることを特徴とする請求項１に記載のガラス成形装置。
【請求項３】
基端が前記貫通穴の一端に続く前記案内面の先端に続いて形成され、前記貫通穴から遠ざかるほど開口径が大きくなる円錐面の一部にて形成された傾斜面をさらに有することを特徴とする請求項２に記載のガラス成形装置。
【請求項４】
前記押圧手段による押圧方向は、前記貫通穴の軸線に対して直交する方向であることを特徴とする請求項１から請求項３の何れかに記載のガラス成形装置。
【請求項５】
前記一方のインサートに形成された成形面が凸曲面を有することを特徴とする請求項１から請求項４の何れかに記載のガラス成形装置。
【請求項６】
金型本体に形成された貫通穴の一端側から当該貫通穴に対して摺動自在に嵌合される一方のインサートと、この一方のインサートと対向するように前記貫通穴の他端側に嵌合される他方のインサートとの間に成形すべきガラス材料を供給し、これらを所定温度に加熱して前記一方のインサートを前記他方のインサートとの対向方向に移動させることにより、前記ガラス材料をプレス成形して前記一対のインサートに形成された成形面をガラス成形品に転写するガラス成形方法であって、
前記貫通穴の一端から当該貫通穴内にガラス材料を供給するステップと、
前記貫通穴の一端から突出してこの貫通穴の内周面に続く案内面に対し、前記一方のインサートを押し当てるステップと、
前記一方のインサートを前記案内面に押し当てた状態で、前記一方のインサートを前記貫通穴の一端からその内部に差し込むステップと
を具えたことを特徴とするガラス成形方法。
【請求項７】
前記貫通穴内で加熱状態にある前記ガラス材料に対し、前記一方のインサートを他方のインサートとの対向方向に前記貫通穴内を移動させ、プレス成形するステップをさらに具えたことを特徴とする請求項６に記載のガラス成形方法。
【手続補正２】
【補正対象書類名】明細書
【補正対象項目名】０００９
【補正方法】変更
【補正の内容】
【０００９】
本発明の第１の形態は、金型本体に形成された貫通穴の一端側から当該貫通穴に対して摺動自在に嵌合される一方のインサートと、この一方のインサートと対向するように前記貫通穴の他端側に嵌合される他方のインサートとを具え、前記一対のインサートの間に成形すべきガラス材料を供給し、これらを所定温度に加熱して前記一方のインサートを前記他方のインサートとの対向方向に移動させることにより、前記ガラス材料をプレス成形して前記一対のインサートに形成された成形面をガラス成形品に転写するガラス成形装置であって、前記金型本体に形成され、かつ前記貫通穴の一端に対して出し入れ自在に駆動するアクチュエータと、前記貫通穴の一端から突出するように延在してこの貫通穴の一端に続く案内面と、この案内面に前記一方のインサートを押し当てる押圧手段とを具えたことを特徴とするものである。
【手続補正３】
【補正対象書類名】明細書
【補正対象項目名】００１０
【補正方法】変更
【補正の内容】
【００１０】
本発明においては、一方のインサートを貫通穴の一端側から抜き外し、ガラス材料を貫通穴の一端からこの貫通穴内に供給する。次いで、一方のインサートを貫通穴の一端側から貫通穴内に差し込む。この時、押圧手段が一方のインサートを案内面に押し当てるため、インサートは案内面に案内されながら貫通穴内に差し込まれる。このようにして一方のインサートが貫通穴に差し込まれた時点で、金型本体およびインサートを加熱して貫通穴内に介在するガラス材料を所定温度まで昇温させた後、一方のインサートを他方のインサート側に駆動してガラス材料をプレス成形し、一対のインサートに形成された成形面をガラス成形品に転写する。
【手続補正４】
【補正対象書類名】明細書
【補正対象項目名】００１２
【補正方法】変更
【補正の内容】
【００１２】
本発明の第２の形態は、金型本体に形成された貫通穴の一端側から当該貫通穴に対して摺動自在に嵌合される一方のインサートと、この一方のインサートと対向するように前記貫通穴の他端側に嵌合される他方のインサートとの間に成形すべきガラス材料を供給し、これらを所定温度に加熱して前記一方のインサートを前記他方のインサートとの対向方向に移動させることにより、前記ガラス材料をプレス成形して前記一対のインサートに形成された成形面をガラス成形品に転写するガラス成形方法であって、前記貫通穴の一端から当該貫通穴内にガラス材料を供給するステップと、前記貫通穴の一端から突出してこの貫通穴の内周面に続く案内面に対し、前記一方のインサートを押し当てるステップと、前記一方のインサートを前記案内面に押し当てた状態で、前記一方のインサートを前記貫通穴の一端からその内部に差し込むステップとを具えたことを特徴とするものである。
【手続補正５】
【補正対象書類名】明細書
【補正対象項目名】００１３
【補正方法】変更
【補正の内容】
【００１３】
本発明においては、貫通穴の一端から貫通穴内にガラス材料を供給し、貫通穴の一端から突出してこの貫通穴の内周面に続く案内面に対し、一方のインサートを押し当てた状態で一方のインサートを貫通穴の一端からその内部に差し込むことにより、インサートは案内面に案内されながら貫通穴内に差し込まれることとなる。
【手続補正６】
【補正対象書類名】明細書
【補正対象項目名】００１５
【補正方法】変更
【補正の内容】
【００１５】
本発明のガラス成形装置によると、金型本体に形成され、かつ貫通穴の一端から突出するように延在してこの貫通穴の一端に続く案内面と、この案内面に一方のインサートを押し当てる押圧手段とを具えているので、一方のインサートを金型本体の貫通穴に差し込む際に、インサートを案内面に案内させながら貫通穴内に円滑に差し込むことができ、貫通穴の内周面に対して一方のインサートの食い付きを防止することができる。この結果、ガラス成形装置の稼働率を従来のものよりも飛躍的に向上させることが可能であり、予備の金型本体やインサートを用意しておく必要もなくなった。
【手続補正７】
【補正対象書類名】明細書
【補正対象項目名】００１７
【補正方法】変更
【補正の内容】
【００１７】
押圧手段による押圧方向が貫通穴の軸線に対して直交する方向の場合、押圧手段の押圧部分を最小の移動ストロークで一方のインサートに当接させ、一方のインサートを案内面に押し当てることができるため、押圧手段をコンパクトに設計することができる。
【手続補正８】
【補正対象書類名】明細書
【補正対象項目名】００１８
【補正方法】変更
【補正の内容】
【００１８】
一方のインサートに形成された成形面が凸曲面を有する場合、貫通穴の内周面に対して一方のインサートの食い付きをより確実に防止することができる。
【手続補正９】
【補正対象書類名】明細書
【補正対象項目名】００１９
【補正方法】変更
【補正の内容】
【００１９】
本発明のガラス成形方法によると、貫通穴の一端から貫通穴内にガラス材料を供給し、貫通穴の一端から突出してこの貫通穴の内周面に続く案内面に対し、一方のインサートを押し当て、この状態で一方のインサートを貫通穴の一端からその内部に差し込むようにしたので、インサートを案内面に案内させながら貫通穴内に円滑に差し込むことができ、貫通穴の内周面に対して一方のインサートの食い付きを防止することができる。この結果、ガラス成形装置の稼働率を従来のものよりも飛躍的に向上させることが可能であり、予備の金型本体やインサートを用意しておく必要もなくなった。